(57)【要約】【課題】  好ましい色調を有し、耐湿性に優れる画像を与えるインクジェット用イエローインクを提供すること。【解決手段】  少なくとも、色材及び水溶性有機溶剤を含有するインクジェット用淡インクと共に用いられるインクジェット用イエローインクであって、前記インクジェット用イエローインクの色材が、下記一般式（Ｉ）で表される化合物又はその塩であり、且つ、前記インクジェット用淡インクが、特定の条件を満たすことを特徴とするインクジェット用イエローインク。  一般式（Ｉ）【化１】2006070258.tif 000027（一般式（Ｉ）中、Ｍはそれぞれ独立に水素原子、アルカリ金属、アルカリ土類金属、有機アミンのカチオン又はアンモニウムイオンであり、ｎはそれぞれ独立に１又は２である。）【数１】2006070258.tif 000028【選択図】  なし【特許請求の範囲】
【請求項１】
少なくとも、色材及び水溶性有機溶剤を含有するインクジェット用淡インクと共に用いられるインクジェット用イエローインクであって、
前記インクジェット用イエローインクの色材が、下記一般式（Ｉ）で表される化合物又はその塩であり、
且つ、前記インクジェット用淡インクが、下記の（ｉ）及び（ｉｉ）の条件を満たすことを特徴とするインクジェット用イエローインク。
（ｉ）インクジェット用淡インクにおける色材の含有量（質量％）が、インクジェット用淡インク全質量に対して、０．１質量％以上２．０質量％以下である。
（ｉｉ）インクジェット用淡インクにおける水溶性有機溶剤の含有量の合計（質量％）に対して、蒸発率Ｘ（質量％）及び吸湿率Ｙ（質量％）が下記式（１）の関係を満たす水溶性有機溶剤の含有量の合計（質量％）が、５０質量％以上である。
一般式（Ｉ）
【化１】
2006070258.tif 000021
（一般式（Ｉ）中、Ｍはそれぞれ独立に水素原子、アルカリ金属、アルカリ土類金属、有機アミンのカチオン又はアンモニウムイオンであり、ｎはそれぞれ独立に１又は２である。）
【数１】
2006070258.tif 000022
【請求項２】
前記インクジェット用イエローインクが、色材として更にＣ．Ｉ．Ｄｉｒｅｃｔ  Ｙｅｌｌｏｗ１３２を含有する請求項１に記載のインクジェット用イエローインク。
【請求項３】
前記インクジェット用淡インクが、淡マゼンタインクである請求項１又は２に記載のインクジェット用イエローインク。
【請求項４】
前記インクジェット用淡インクが、淡シアンインクである請求項１〜３の何れか１項に記載のインクジェット用イエローインク。
【請求項５】
前記インクジェット用イエローインクが、水溶性有機溶剤を含有し、前記水溶性有機溶剤の含有量の合計（質量％）に対して、蒸発率Ｘ（質量％）及び吸湿率Ｙ（質量％）が、上記式（１）の関係を満たす水溶性有機溶剤の含有量の合計（質量％）が、５０質量％以上である請求項１〜４の何れか１項に記載のインクジェット用イエローインク。
【請求項６】
少なくとも、色材及び水溶性有機溶剤を含有するインクジェット用淡インクであって、
前記インクジェット用淡インクが、下記の（ｉ）及び（ｉｉ）の条件を満たし、
且つ、色材として下記一般式（Ｉ）で表される化合物又はその塩を含有するインクジェット用イエローインクと共に用いられることを特徴とするインクジェット用淡インク。
（ｉ）インクジェット用淡インクにおける色材の含有量（質量％）が、インクジェット用淡インク全質量に対して、０．１質量％以上２．０質量％以下である。
（ｉｉ）インクジェット用淡インクにおける水溶性有機溶剤の含有量の合計（質量％）に対して、蒸発率Ｘ（質量％）及び吸湿率Ｙ（質量％）が下記式（１）の関係を満たす水溶性有機溶剤の含有量の合計（質量％）が、５０質量％以上である。
一般式（Ｉ）
【化２】
2006070258.tif 000023
（一般式（Ｉ）中、Ｍはそれぞれ独立に水素原子、アルカリ金属、アルカリ土類金属、有機アミンのカチオン又はアンモニウムイオンであり、ｎはそれぞれ独立に１又は２である。）
【数２】
2006070258.tif 000024
【請求項７】
前記インクジェット用淡インクが、淡マゼンタインクである請求項６に記載のインクジェット用淡インク。
【請求項８】
前記インクジェット用淡インクが、淡シアンインクである請求項６又は７に記載のインクジェット用淡インク。
【請求項９】
前記インクジェット用淡インクが水溶性有機溶剤を含有し、前記水溶性有機溶剤の含有量の合計（質量％）に対して、蒸発率Ｘ（質量％）及び吸湿率Ｙ（質量％）が上記式（１）の関係を満たす水溶性有機溶剤の含有量の合計（質量％）が、５０質量％以上である請求項６〜８の何れか１項に記載のインクジェット用淡インク。
【請求項１０】
複数のインクからなるインクセットにおいて、少なくともインクジェット用イエローインクとインクジェット用淡インクとを含み、
前記インクジェット用イエローインクが、少なくとも色材及び水溶性有機溶剤を含有し、前記色材が、下記一般式（Ｉ）で表される化合物又はその塩であり、
前記インクジェット用淡インクが、少なくとも、色材及び水溶性有機溶剤を含有し、下記の（ｉ）及び（ｉｉ）の条件を満たすことを特徴とするインクセット。
（ｉ）インクジェット用淡インクにおける色材の含有量（質量％）が、インクジェット用淡インク全質量に対して、０．１質量％以上２．０質量％以下である。
（ｉｉ）インクジェット用淡インクにおける水溶性有機溶剤の含有量の合計（質量％）に対して、蒸発率Ｘ（質量％）及び吸湿率Ｙ（質量％）が下記式（１）の関係を満たす水溶性有機溶剤の含有量の合計（質量％）が、５０質量％以上である。
一般式（Ｉ）
【化３】
2006070258.tif 000025
（一般式（Ｉ）中、Ｍはそれぞれ独立に水素原子、アルカリ金属、アルカリ土類金属、有機アミンのカチオン又はアンモニウムイオンであり、ｎはそれぞれ独立に１又は２である。）
【数３】
2006070258.tif 000026
【請求項１１】
インクをインクジェット方法で吐出する工程を有するインクジェット記録方法において、前記インクが、請求項１〜９の何れか１項に記載のインクジェット用イエローインク又はインクジェット用淡インクであることを特徴とするインクジェット記録方法。
【請求項１２】
インクを収容するインク収容部を備えたインクカートリッジにおいて、前記インクが、請求項１〜９の何れか１項に記載のインクジェット用イエローインク又はインクジェット用淡インクであることを特徴とするインクカートリッジ。
【請求項１３】
インクを収容するインク収容部と、インクを吐出するための記録ヘッドとを備えた記録ユニットにおいて、前記インクが、請求項１〜９の何れか１項に記載のインクジェット用イエローインク又はインクジェット用淡インクであることを特徴とする記録ユニット。
【請求項１４】
インクを収容するインク収容部と、インクを吐出するための記録ヘッドとを備えたインクジェット記録装置において、請求項１〜９の何れか１項に記載のインクジェット用イエローインク又はインクジェット用淡インクであることを特徴とするインクジェット記録装置。
【発明の詳細な説明】
【技術分野】
【０００１】
本発明は、耐湿性に優れる画像を与えるインクジェット用イエローインク、インクジェット用淡インク、インクセット、インクジェット記録方法、インクカートリッジ、記録ユニット及びインクジェット記録装置に関する。
【背景技術】
【０００２】
インクジェット記録方法は、インク小滴を普通紙、及び、光沢メディア等の記録媒体上に付与して、画像を形成する記録方法であり、その低価格化、記録速度の向上により、急速に普及が進んでいる。又、その記録画像の高画質化が進んだことに加えて、デジタルカメラの急速な普及に伴い、銀塩写真に匹敵する写真画像の出力方法として広く一般的になっている。
【０００３】
近年、インクジェット記録方法においては、画像の保存性が要求されるようになっている。特に、湿度が高い環境における画像の安定性である耐湿性は、画像の保存性の観点から重要な要素であり、耐湿性に優れる画像を与えるインクについての検討がなされている。例えば、同一系統の色で濃淡の異なるインクのうちの淡インクが、蒸気圧が１Ｐａ以下の親水性低揮発性有機溶媒及び蒸気圧が１〜１０Ｐａの親水性低揮発性有機溶媒を混合してなる親水性低揮発性有機溶媒を含有するインクが提案されている（例えば、特許文献１参照）。
【０００４】
一方、新規に色材を合成し、耐湿性、耐光性、耐水性に優れ、インクジェット記録に適し、更に色相と鮮明性を良好にする技術が提案されている（例えば、特許文献２参照）。
【特許文献１】特開２０００−３１９５６０号公報
【特許文献２】特開２００３−３２１６２７号公報
【発明の開示】
【発明が解決しようとする課題】
【０００５】
本発明者らが鋭意検討した結果、１種のインクを用いて画像を形成する場合には、耐湿性に優れる画像を与えるインクであっても、二次色及び三次色を形成するなど、他のインクと併用して画像を形成する場合、他のインクを構成する成分の組成の影響により、得られる画像の耐湿性が悪化する場合があることがわかった。
【０００６】
特に近年、写真画質の記録物を作成する際に、主に画像の階調表現性を向上する目的で、色材濃度が０．１質量％以上２．０質量％以下の、いわゆる淡インクが広く用いられている。本発明者らは、淡インクを他のインクと併用して画像を形成する場合、淡インクの組成が画像の耐湿性に対して影響を及ぼすことを確認した。
【０００７】
淡インクは色材濃度が低く、インクの粘度も低いので、淡インクと併用する他のインクと同等の粘度を持つインクとするために、淡インクはその組成中に水溶性有機溶剤を多く含有することが多い。更に、淡インクは色材濃度が低いため、記録媒体への淡インクの付与量は濃インクの付与量と比較して多くなる傾向にある。これらのことから、水溶性有機溶剤と得られる画像の耐湿性が悪化することに何らかの関係があると考えられる。
【０００８】
記録媒体にインクが付与されて作成された記録物には、インク中の水溶性有機溶剤が浸透した状態になる。即ち、前記記録物中の水溶性有機溶剤は、淡インクの水溶性有機溶剤の組成に由来する割合が大きくなる。このため、色材濃度が２．０質量％を超える濃インクのみを用いて画像を形成する場合には問題とはならなかったが、色材濃度が０．１質量％以上２．０質量％以下の淡インクと用いられる場合、画像の耐湿性が悪化するという新たな課題を見出した。これまでに述べてきたとおり、画像の耐湿性は記録物中の溶剤の影響により悪化する。従って、インク中の水溶性有機溶剤の含有量を減らすことで、画像の耐湿性が向上すると考えられる。
【０００９】
しかしながら、本発明者らが鋭意検討を行った結果、インク中の水溶性有機溶剤の含有量と画像の耐湿性とが単純に相関しない場合があることを見出した。そこで、更に検討を行った結果、画像の耐湿性には、インク中に含まれる水溶性有機溶剤の揮発性（蒸発率）の他に、水溶性有機溶剤の吸湿性（吸湿率）が密接に関係しているということを見出した。つまり、画像の耐湿性を向上させるためには、インク中の水溶性有機溶剤の揮発性（蒸発率）の観点のみで設計するだけでは不十分であり、水溶性有機溶剤の吸湿性（吸湿率）をも考慮したインク設計を行う必要がある。
【００１０】
同時に、揮発性の高い水溶性有機溶剤を使用してインクを設計する場合には、間欠吐出安定性等のインクジェット用インクとしての信頼性を満たすことも必要である。
【００１１】
一方、近年、画像の保存性についての要求が高まり、画像の耐湿性もより厳しいレベルが要求されている。このため、好ましい色調（色相）、鮮明性を有し、耐光性及び耐水性にも優れる色材を使用し、この性能を最大限発揮し、更に高いレベルとすることが要求されている。
【００１２】
従って、本発明の目的は、好ましい色調を有し、耐湿性に優れる画像を与えるインクジェット用イエローインクを提供することにある。
【００１３】
又、本発明の別の目的は、前記イエローインクと共に用いる、画像の耐湿性と階調表現性に優れる画像を与えるインクジェット用淡インクを提供することにある。
【００１４】
又、本発明の別の目的は、前記インクジェット用イエローインク又はインクジェット用淡インクを用いたインクセット、インクカートリッジ、インクジェット記録方法及びインクジェット記録装置を提供することにある。
【課題を解決するための手段】
【００１５】
上記の目的は以下の本発明によって達成される。即ち、本発明にかかるインクジェット用イエローインクは、少なくとも、色材及び水溶性有機溶剤を含有するインクジェット用淡インクと共に用いられるインクジェット用イエローインクであって、前記インクジェット用イエローインクの色材が、下記一般式（Ｉ）で表される化合物又はその塩であり、且つ、前記インクジェット用淡インクが、下記の（ｉ）及び（ｉｉ）の条件を満たすことを特徴とする。
（ｉ）インクジェット用淡インクにおける色材の含有量（質量％）が、インクジェット用淡インク全質量に対して、０．１質量％以上２．０質量％以下である。
（ｉｉ）インクジェット用淡インクにおける水溶性有機溶剤の含有量の合計（質量％）に対して、蒸発率Ｘ（質量％）及び吸湿率Ｙ（質量％）が下記式（１）の関係を満たす水溶性有機溶剤の含有量の合計（質量％）が、５０質量％以上である。
【００１６】
一般式（Ｉ）
【００１７】
【化１】
2006070258.tif 000002
【００１８】
（一般式（Ｉ）中、Ｍはそれぞれ独立に水素原子、アルカリ金属、アルカリ土類金属、有機アミンのカチオン又はアンモニウムイオンであり、ｎはそれぞれ独立に１又は２である。）
【００１９】
【数１】
2006070258.tif 000003
【００２０】
又、本発明の別の実施態様にかかるインクジェット用淡インクは、少なくとも、色材及び水溶性有機溶剤を含有するインクジェット用淡インクであって、前記インクジェット用淡インクが、下記の（ｉ）及び（ｉｉ）の条件を満たし、且つ、色材として下記一般式（Ｉ）で表される化合物又はその塩を含有するインクジェット用イエローインクと共に用いられることを特徴とする。
（ｉ）インクジェット用淡インクにおける色材の含有量（質量％）が、インクジェット用淡インク全質量に対して、０．１質量％以上２．０質量％以下である。
（ｉｉ）インクジェット用淡インクにおける水溶性有機溶剤の含有量の合計（質量％）に対して、蒸発率Ｘ（質量％）及び吸湿率Ｙ（質量％）が下記式（１）の関係を満たす水溶性有機溶剤の含有量の合計（質量％）が、５０質量％以上である。
【００２１】
一般式（Ｉ）
【００２２】
【化２】
2006070258.tif 000004
【００２３】
（一般式（Ｉ）中、Ｍはそれぞれ独立に水素原子、アルカリ金属、アルカリ土類金属、有機アミンのカチオン又はアンモニウムイオンであり、ｎはそれぞれ独立に１又は２である。）
【００２４】
【数２】
2006070258.tif 000005
【００２５】
又、本発明の別の実施態様にかかるインクセットは、複数のインクからなるインクセットにおいて、少なくともインクジェット用イエローインクとインクジェット用淡インクとを含み、前記インクジェット用イエローインクが、少なくとも色材及び水溶性有機溶剤を含有し、前記色材が、下記一般式（Ｉ）で表される化合物又はその塩であり、前記インクジェット用淡インクが、少なくとも、色材及び水溶性有機溶剤を含有し、下記の（ｉ）及び（ｉｉ）の条件を満たすことを特徴とする。
（ｉ）インクジェット用淡インクにおける色材の含有量（質量％）が、インクジェット用淡インク全質量に対して、０．１質量％以上２．０質量％以下である。
（ｉｉ）インクジェット用淡インクにおける水溶性有機溶剤の含有量の合計（質量％）に対して、蒸発率Ｘ（質量％）及び吸湿率Ｙ（質量％）が下記式（１）の関係を満たす水溶性有機溶剤の含有量の合計（質量％）が、５０質量％以上である。
【００２６】
一般式（Ｉ）
【００２７】
【化３】
2006070258.tif 000006
【００２８】
（一般式（Ｉ）中、Ｍはそれぞれ独立に水素原子、アルカリ金属、アルカリ土類金属、有機アミンのカチオン又はアンモニウムイオンであり、ｎはそれぞれ独立に１又は２である。）
【００２９】
【数３】
2006070258.tif 000007
【００３０】
又、本発明の別の実施態様にかかるインクジェット記録方法は、インクをインクジェット方法で吐出する工程を有するインクジェット記録方法において、前記インクが、上記構成のインクジェット用イエローインク又はインクジェット用淡インクであることを特徴とする。
【００３１】
又、本発明の別の実施態様にかかるインクカートリッジは、インクを収容するインク収容部を備えたインクカートリッジにおいて、前記インクが、上記構成のインクジェット用イエローインク又はインクジェット用淡インクであることを特徴とする。
【００３２】
又、本発明の別の実施態様にかかる記録ユニットは、インクを収容するインク収容部と、インクを吐出するための記録ヘッドとを備えた記録ユニットにおいて、前記インクが、上記構成のインクジェット用イエローインク又はインクジェット用淡インクであることを特徴とする。
【００３３】
又、本発明の別の実施態様にかかるインクジェット記録装置は、インクを収容するインク収容部と、インクを吐出するための記録ヘッドとを備えたインクジェット記録装置において、上記構成のインクジェット用イエローインク又はインクジェット用淡インクであることを特徴とする。
【発明の効果】
【００３４】
本発明によれば、好ましい色調を有し、耐湿性に優れる画像を与えるインクジェット用イエローインクを提供することができる。
【００３５】
又、本発明の別の実施態様によれば、前記インクジェット用イエローインクと共に用いる、画像の耐湿性と階調表現性に優れる画像を与えるインクジェット用淡インクを提供することができる。
【００３６】
又、本発明の別の実施態様によれば、前記インクジェット用イエローインク又は淡インクを用いたインクセット、インクジェット記録方法、インクカートリッジ、記録ユニット及びインクジェット記録装置を提供することができる。
【発明を実施するための最良の形態】
【００３７】
以下、好ましい実施の形態を挙げて本発明を更に詳細に説明する。
【００３８】
尚、本発明においては、化合物が塩である場合は、インク中では塩はイオンに解離して存在しているが、便宜上、「塩を含有する」と表現する。
【００３９】
＜インク＞
以下、本発明にかかるインクを構成する成分等について詳細に述べる。
【００４０】
（水溶性有機溶剤及び水）
本発明のイエローインクと共に用いられる淡インクに用いられる水溶性有機溶剤は、インクジェット用淡インクにおける水溶性有機溶剤の含有量の合計（質量％）に対して、蒸発率Ｘ（質量％）及び吸湿率Ｙ（質量％）が下記式（１）の関係を満たす水溶性有機溶剤の含有量の合計（質量％）が、５０質量％以上であることが必須である。
【００４１】
【数４】
2006070258.tif 000008
【００４２】
本発明における蒸発率Ｘ（質量％）は、外径３１ｍｍ、高さ１５ｍｍのシャーレに水溶性有機溶剤を５ｇ入れ、温度６０℃、湿度１０％の環境で１９２時間静置した後に、再度水溶性有機溶剤の質量を測定し、減少した水溶性有機溶剤の質量から求めた値である。又、吸湿率Ｙ（質量％）は、外径３１ｍｍ、高さ１５ｍｍのシャーレに水溶性有機溶剤を５ｇ入れ、温度３０℃、湿度８０％の環境で１９２時間後静置した後に、再度水溶性有機溶剤の質量を測定し、増加した水溶性有機溶剤の質量から求めた値である。図１は、上記の方法により算出された各水溶性有機溶剤の蒸発率及び吸湿率の関係を示すグラフである。
【００４３】
上記の水溶性有機溶剤を含有するインクを調製し、以下の実験を行った。色材としてＣ．Ｉ．Ｄｉｒｅｃｔ  Ｙｅｌｌｏｗ１３２を３質量％、各水溶性有機溶剤を２０質量％、界面活性剤としてアセチレノールＥ−１００（川研ファインケミカル製）を０．５質量％、残量を水としてモデルインクを調製した。又、このモデルインクとは別に、色材を水で置き換えたクリアインクを調製した。得られたモデルインクとクリアインクとを、それぞれ０〜１００％デューティで変化させ、重ね合わせて画像を形成した記録物を作成した。尚、記録物の作成には、インクジェットプリンタとしてＰＩＸＵＳ９５０ｉ（キヤノン製）、記録媒体としてスーパーフォトペーパー（ＳＰ−１０１；キヤノン製）を用いた。
【００４４】
得られた記録物を、温度２５℃、湿度６０％の環境（常温常湿）で４８時間放置し、記録媒体から水溶性有機溶剤及び水を蒸発させた。放置時間が４８時間よりも短い場合には、記録媒体に残存する水溶性有機溶剤や水の量が一定とならず、評価結果が安定しないことが考えられる。温度２５℃、湿度６０％の環境で４８時間放置した後の色調を、分光光度計（商品名：Ｓｐｅｃｔｏｒｏｌｉｎｏ；Ｇｒｅｔａｇ  Ｍａｃｂｅｔｈ製）を用いて測定し、Ｌａ＊ｂ＊の値を求めた。その後、温度３０℃、湿度８０％の環境（高温高湿）に９６時間以上放置することで、水溶性有機溶剤をマイグレーションさせる。放置時間を９６時間以上とすることで、水溶性有機溶剤のマイグレーション特性を比較しやすくなる。今回の放置時間は１６８時間とした。温度３０℃、湿度８０％の環境で１６８時間放置した後の色調を、前記と同様の分光光度計を用いて測定し、水溶性有機溶剤がマイグレーションした後のＬａ＊ｂ＊の値を求めた。得られた結果から、色差（△Ｅ）の最大値を求めた。
【００４５】
上記の実験結果、並びに各水溶性有機溶剤の蒸発率及び吸湿率の関係から、これらの間には相関関係があることがわかった。
【００４６】
マイグレーションとは、高温高湿等の環境において、記録媒体中のインクが吸湿することにより、インクに含有される色材が記録媒体中で移動し、記録物の色調の変化や滲みが起こり、画像が劣化する現象である。本発明では、記録物において、色材のマイグレーションが起きることを、色材の耐湿性が悪い、としている。従って、環境により生じる色差が小さいほど、その水溶性有機溶剤のマイグレーション特性は良い、と考えられる。マイグレーション特性が良い、即ち、耐湿性の良い水溶性有機溶剤は、蒸発しやすく、吸湿しにくいという特徴を有する。つまり、マイグレーション特性の良い水溶性有機溶剤ほど、色差（△Ｅ）の最大値が小さくなる。この△Ｅの最大値を基に、水溶性有機溶剤のマイグレーション特性を以下の基準で区別した。
Ａ：△Ｅの最大値≦５．５
Ｃ：△Ｅの最大値＞５．５
△Ｅの最大値が５．５以下の場合、高温高湿の環境においてもマイグレーションによる色調変化が生じず、画像として好ましいものであった。これに対し、△Ｅの最大値が５．５よりも大きい場合、高温高湿の環境においてマイグレーションにより色調変化が目立ち、画像劣化が生じた。この基準に基づいて各水溶性有機溶剤のマイグレーション特性と、蒸発率及び吸湿率との関係を見出すことによって得られた式が、上記式（１）である。即ち、図１中、Ｙ＝２．８Ｘ＋１０の直線よりも右側の水溶性有機溶剤の場合、色差（ΔＥ）が５．５以下であり、Ｙ＝２．８Ｘ＋１０の直線よりも左側の水溶性有機溶剤の場合、色差（ΔＥ）が５．５より大きくなった。
【００４７】
尚、一般に耐湿性の向上を図る場合、染料の溶解度が低い溶剤（貧溶媒）を用いることもできる。しかし、本発明において用いる染料では、マイグレーションと水溶性有機溶剤に対する染料の溶解度との関連性は見出されなかった。即ち、本発明に用いられる染料における耐湿性の向上は、水溶性有機溶剤に対する染料の溶解度ではなく、インクが含有する水溶性有機溶剤の蒸発率及び吸湿率が支配的である。
【００４８】
上記式（１）の関係を満たす水溶性有機溶剤の具体例は、エチレングリコール、ジエチレングリコール、２−ピロリドン、１，５−ペンタンジオール、１，６−ヘキサンジオール、エチレン尿素が挙げられる。中でも特に、エチレン尿素が好ましい。更には、エチレン尿素と、ジエチレングリコール及び２−ピロリドンを組み合わせて用いることが、信頼性等のインクジェット特性を向上させる観点から特に好ましい。又、上記式（１）の関係を満たす水溶性有機溶剤であれば、上記に記載していない水溶性有機溶剤であっても使用できる。尚、図１において、エチレングリコールは、Ｙ≦２．８Ｘ＋１０を満たすが、蒸発率の値が大きいために、図中には記載していない。
【００４９】
又、本発明にかかる淡インクにおいては、グリセリン、尿素等の、上記式（１）の関係を満たさない水溶性有機溶剤であっても、これらを添加することによる効果が得られ、かつ本発明の目的効果を損なわない範囲で使用することができる。しかし、本発明の効果を十分に得るためには、上記式（１）の関係を満たす水溶性有機溶剤の含有量（質量％）が、淡インクに含有される水溶性有機溶剤の含有量の合計（質量％）に対して、５０質量％以上であることが必須である。
【００５０】
更に、本発明にかかるイエローインクにおいても、上記式（１）の関係を満たす水溶性有機溶剤の含有量（質量％）が、イエローインクに含有される水溶性有機溶剤の含有量の合計（質量％）に対して、５０質量％以上であることが好ましい。
【００５１】
尚、本発明にかかるイエローインク及び淡インクにおける水溶性有機溶剤の含有量の合計（質量％）は、インク全質量に対して、１０質量％以上５０質量％以下であることが好ましい。水溶性有機溶剤の含有量の合計（質量％）が、１０質量％を下回る場合、又は５０質量％を上回る場合、信頼性等のインクジェット特性が悪くなることがある。
【００５２】
又、水は脱イオン水（イオン交換水）を用いることが好ましい。水の含有量は、インク全質量に対して１０質量％以上９０質量％以下であることが好ましい。
【００５３】
（色材）
〔一般式（Ｉ）で表される化合物又はその塩〕
本発明にかかるイエローインクの色材は、少なくとも下記一般式（Ｉ）で表される化合物又はその塩である。前記色材は、イエロー色材として求められる好ましい色調（色相）、鮮明性を有し、耐光性、耐水性に優れるという特徴を有している。
【００５４】
一般式（Ｉ）
【００５５】
【化４】
2006070258.tif 000009
【００５６】
（一般式（Ｉ）中、Ｍはそれぞれ独立に水素原子、アルカリ金属、アルカリ土類金属、有機アミンのカチオン又はアンモニウムイオンであり、ｎはそれぞれ独立に１又は２である。）
本発明においては、上記一般式（Ｉ）で表される化合物又はその塩である色材の他に、イエローインクとして求められる性能を得るため、他の色材を組み合わせて用いることもできる。尚、本発明にかかるイエローインクにおける色材の含有量（質量％）は、インク全質量に対して、１．０質量％以上４．０質量％以下であることが好ましい。色材の含有量が１．０質量％未満では、イエローインクとしての色調（色相）等、本発明の効果が得られない場合があり、４．０質量％を越えると、間欠吐出性等の信頼性が低下する場合があるためである。又、本発明の効果を十分に得るためには、上記一般式（Ｉ）で表される化合物又はその塩の含有量（質量％）が、イエローインクの色材の全質量に対して、１０質量％以上であることが好ましい。
【００５７】
〔淡インクの色材〕
本発明においては、色材の含有量（質量％）が、インク全質量に対して、０．１質量％以上２．０質量％以下であるインクを淡インクとする。この条件を満たすインクであれば、色材は特に限定されず、下記に示すようなものが使用可能である。尚、淡インクの色材濃度が０．１質量％よりも低い場合、画像を形成する際の階調性を向上させるために多くのインクを記録媒体に付与しなければならず、記録物中に多量の溶剤が存在するため、画像の耐湿性が悪化する。
【００５８】
〔その他の色材〕
以下に、本発明にかかるイエローインクにおいて、上記一般式（Ｉ）の色材と共に用いることができる色材、及び本発明にかかる淡インクにおいて用いることができる色材の具体例をあげる。尚、本発明はこれらに限られるものではない。
【００５９】
［イエロー色材］
Ｃ．Ｉ．ダイレクトイエロー：８、１１、１２、２７、２８、３３、３９、４４、５０、５８、８５、８６、８７、８８、８９、９８、１００、１１０、１３２、１７３等
Ｃ．Ｉ．アシッドイエロー：１、３、７、１１、１７、２３、２５、２９、３６、３８、４０、４２、４４、７６、９８、９９等
Ｃ．Ｉ．ピグメントイエロー：１、２、３、１２、１３、１４、１５、１６、１７、７３、７４、７５、８３、９３、９５、９７、９８、１１４、１２８、１３８、１８０等
上記のイエロー色材のうち、上記一般式（Ｉ）で表される化合物又はその塩と組み合わせて用いる色材が、Ｃ．Ｉ．ダイレクトイエロー１３２である場合、優れた色調が得られるため、特に好ましい。
【００６０】
［マゼンタ色材］
Ｃ．Ｉ．ダイレクトレッド：２、４、９、１１、２０、２３、２４、３１、３９、４６、６２、７５、７９、８０、８３、８９、９５、１９７、２０１、２１８、２２０、２２４、２２５、２２６、２２７、２２８、２２９、２３０等
Ｃ．Ｉ．アシッドレッド：６、８、９、１３、１４、１８、２６、２７、３２、３５、４２、５１、５２、８０、８３、８７、８９、９２、１０６、１１４、１１５、１３３、１３４、１４５、１５８、１９８、２４９、２６５、２８９
Ｃ．Ｉ．フードレッド：８７、９２、９４等
Ｃ．Ｉ．ダイレクトバイオレット：１０７等
Ｃ．Ｉ．ピグメントレッド：２、５、７、１２、４８：２、４８：４、５７：１、１１２、１２２、１２３、１６８、１８４、２０２等
又、マゼンタ色材として好ましく用いることができるその他の色材には、以下の色材がある。
【００６１】
化合物（１）
【００６２】
【化５】
2006070258.tif 000010
【００６３】
（化合物（１）中、Ｒ１は水素原子、アルキル基、ヒドロキシ低級アルキル基、シクロヘキシル基、モノ又はジアルキルアミノアルキル基、シアノ低級アルキル基であり、Ｙは塩素原子、ヒドロキシル基、アミノ基、モノ又はジアルキルアミノ基（アルキル基上にスルホン酸基、カルボキシル基、及びヒドロキシル基からなる群から選択される置換基を有していてもよい）であり、Ｒ２、Ｒ３、Ｒ４、Ｒ５、Ｒ６はそれぞれ独立に水素原子、炭素数１〜８のアルキル基、カルボキシル基（但し、Ｒ２、Ｒ３、Ｒ４、Ｒ５、Ｒ６のすべてが水素原子である場合を除く。）である。）
上記化合物（１）の色材の具体例は、遊離酸の形で下記の構造となる例示化合物が挙げられ、特に例示化合物Ｍ７が好ましく用いられる。
【００６４】
【化６】
2006070258.tif 000011
【００６５】
［シアン色材］
Ｃ．Ｉ．ダイレクトブルー：１、１５、２２、２５、４１、７６、７７、８０、８６、９０、９８、１０６、１０８、１２０、１５８、１６３、１６８、１９９、２２６、３０７等
Ｃ．Ｉ．アシッドブルー：１、７、９、１５、２２、２３、２５、２９、４０、４３、５９、６２、７４、７８、８０、９０、１００、１０２、１０４、１１２、１１７、１２７、１３８、１５８、１６１、２０３、２０４、２２１、２４４等
Ｃ．Ｉ．ピグメントブルー：１、２、３、１５、１５：２、１５：３、１５：４、１６、２２、６０等
又、シアン色材として好ましく用いることができるその他の色材には、以下の色材がある。
【００６６】
化合物（２）
【００６７】
【化７】
2006070258.tif 000012
【００６８】
（化合物（２）中、ｌは０〜２、ｍは１〜３、ｎは１〜３、但し、ｌ＋ｍ＋ｎ＝３〜４であり、置換基の置換位置は４もしくは４’位であり、Ｍはアルカリ金属又はアンモニウムであり、Ｒ１、Ｒ２はそれぞれ独立に水素原子、スルホン酸基、カルボキシル基（但し、Ｒ１、Ｒ２は、同時に水素原子となる場合を除く。）であり、Ｙは塩素原子、ヒドロキシル基、アミノ基、モノ又はジアルキルアミノ基である。）
上記化合物（２）の色材は、スルホン酸基、無置換スルファモイル基（−ＳＯ２ＮＨ２）、又は置換スルファモイル基（下記式（ａ）で表される基）を、化合物（２）における４位及び４’位に選択的に導入し、置換基数を３〜４としたフタロシアニン誘導体である。
【００６９】
尚、本発明において用いる化合物（２）は、４−スルホフタル酸誘導体、又は、４−スルホフタル酸誘導体及び（無水）フタル酸誘導体を、金属化合物の存在下で反応させることで得られるフタロシアニン化合物を原料に用いる。更に前記フタロシアニン化合物におけるスルホン酸基をクロロスルホン酸基に変換した後、有機アミンの存在下でアミノ化剤を反応させて得られる。
【００７０】
式（ａ）
【００７１】
【化８】
2006070258.tif 000013
【００７２】
式（ａ）で表される置換スルファモイル基の好ましい具体例を以下に示す。勿論、本発明に用いられる置換スルファモイル基は、これに限られるものではない。尚、一般式（Ｖ）で表される置換スルファモイル基は、遊離酸の形で示す。中でも特に、例示置換基Ｃ１が置換した化合物が好ましい。
【００７３】
【化９】
2006070258.tif 000014
【００７４】
［その他の色調の色材］
本発明は上記のインクの他にも、必要に応じてブラック、レッド、グリーン、ブルーといった所謂特色インクと共に使用することができる。以下にこれらのインクに含有することができる色材の例を挙げるが、本発明はこれらに限られるものではない。
Ｃ．Ｉ．アシッドオレンジ：７、８、１０、１２、２４、３３、５６、６７、７４、８８、９４、１１６、１４２等
Ｃ．Ｉ．アシッドレッド：１１１、１１４、２６６、３７４等
Ｃ．Ｉ．ダイレクトオレンジ：２６、２９、３４、３９、５７、１０２、１１８等
Ｃ．Ｉ．フードオレンジ：３等
Ｃ．Ｉ．リアクティブオレンジ：１、４、５、７、１２、１３、１４、１５、１６、２０、２９、３０、８４、１０７等
Ｃ．Ｉ．ディスパースオレンジ：１、３、１１、１３、２０、２５、２９、３０、３１、３２、４７、５５、５６等
Ｃ．Ｉ．ピグメントオレンジ：４３等
Ｃ．Ｉ．ピグメントレッド：１２２、１７０、１７７、１９４、２０９、２２４等
Ｃ．Ｉ．アシッドグリーン：１、３、５、６、９、１２、１５、１６、１９、２１、２５、２８、８１、８４等
Ｃ．Ｉ．ダイレクトグリーン：２６、５９、６７等
Ｃ．Ｉ．フードグリーン：３等
Ｃ．Ｉ．リアクティブグリーン：５、６、１２、１９、２１等
Ｃ．Ｉ．ディスパースグリーン：６、９等
Ｃ．Ｉ．ピグメントグリーン：７、３６等
Ｃ．Ｉ．アシッドブルー：６２、８０、８３、９０、１０４、１１２、１１３、１４２、２０３、２０４、２２１、２４４等
Ｃ．Ｉ．リアクティブブルー：４９等
Ｃ．Ｉ．アシッドバイオレット：１７、１９、４８、４９、５４、１２９等
Ｃ．Ｉ．ダイレクトバイオレット：９、３５、４７、５１、６６、９３、９５、９９等
Ｃ．Ｉ．リアクティブバイオレット：１、２、４、５、６、８、９、２２、３４、３６等
Ｃ．Ｉ．ディスパースバイオレット：１、４、８、２３、２６、２８、３１、３３、３５、３８、４８、５６等
Ｃ．Ｉ．ピグメントブルー：１５：６等
Ｃ．Ｉ．ピグメントバイオレット：１９、２３、３７等
Ｃ．Ｉ．ダイレクトブラック：１７、１９、２２、３１、３２、５１、６２、７１、７４、１１２、１１３、１５４、１６８、１９５等
Ｃ．Ｉ．アシッドブラック：２、４８、５１、５２、１１０、１１５、１５６等
Ｃ．Ｉ．フードブラック：１、２等
カーボンブラック
【００７５】
（その他の添加剤）
本発明のインクは、必要に応じて、尿素、及び、尿素誘導体などの保湿性固形分をインク成分として用いても良い。
【００７６】
又、本発明のインクには、必要に応じて、界面活性剤、ｐＨ調整剤、防錆剤、防腐剤、防黴剤、酸化防止剤、還元防止剤、蒸発促進剤、キレート化剤、及び、水溶性ポリマーなど、種々の添加剤を含有させても良い。
【００７７】
＜記録媒体＞
本発明のインクを用いて画像を形成する際に用いる記録媒体は、インクを付与して記録を行う記録媒体であれば何れのものでも使用することができる。
【００７８】
本発明は、染料や顔料などの色材をインク受容層内の多孔質構造を形成する微粒子に吸着させて、少なくともこの吸着した微粒子から画像が形成される記録媒体に適用され、インクジェット法を利用する場合に特に好適である。このようなインクジェット用の記録媒体は支持体上のインク受容層に形成された空隙によりインクを吸収するいわゆる吸収タイプであることが好ましい。
【００７９】
吸収タイプのインク受容層は、微粒子を主体とし、必要に応じて、バインダーやその他の添加剤を含有する多孔質層として構成される。微粒子の具体例は、シリカ、クレー、タルク、炭酸カルシウム、カオリン、アルミナあるいはアルミナ水和物等の酸化アルミニウム、珪藻土、酸化チタン、ハイドロタルサイト、酸化亜鉛等の無機顔料や尿素ホルマリン樹脂、エチレン樹脂、スチレン樹脂等の有機顔料が挙げられ、これらの１種以上が使用される。バインダーとして好適に使用されているものには水溶性高分子やラテックスを挙げることができる。例えば、ポリビニルアルコール又はその変性体、澱粉又はその変性体、ゼラチン又はその変性体、アラビアゴム、カルボキシメチルセルロース、ヒドロキシエチルセルロース、ヒドロキシプロオイルメチルセルロースなどのセルロース誘導体、ＳＢＲラテックス、ＮＢＲラテックス、メチルメタクリレート−ブタジエン共重合体ラテックス、官能基変性重合体ラテックス、エチレン酢酸ビニル共重合体などのビニル系共重合体ラテックス、ポリビニルピロリドン、無水マレイン酸又はその共重合体、アクリル酸エステル共重合体などが使用され、必要に応じて２種以上を組み合わせて用いることができる。その他、添加剤を使用することもでき、例えば、必要に応じて分散剤、増粘剤、ｐＨ調整剤、潤滑剤、流動性変性剤、界面活性剤、消泡剤、離型剤、蛍光増白剤、紫外線吸収剤、酸化防止剤などが使用される。
【００８０】
特に、本発明において好ましく用いられる記録媒体は、平均粒子径が１μｍ以下の微粒子を主体として、インク受容層を形成した記録媒体が好ましい。上記の微粒子として、特に好ましいものは、例えばシリカ微粒子や酸化アルミニウム微粒子等が挙げられる。シリカ微粒子として好ましいものは、コロイダルシリカに代表されるシリカ微粒子である。コロイダルシリカ自体は市場より入手可能であるが、特には、例えば特許第２８０３１３４号、同２８８１８４７号公報に掲載されたものが好ましい。酸化アルミニウム微粒子として好ましいものは、アルミナ水和物微粒子等である。このようなアルミナ水和物微粒子の一つとして下記一般式により表されるアルミナ水和物を挙げることができる。
ＡｌＯ３−ｎ（ＯＨ）２ｎ・ｍＨ２Ｏ
（上記式中、ｎは１、２又は３の整数の何れかを表し、ｍは０〜１０、好ましくは０〜５の値を表す。但し、ｍとｎは同時には０にはならない。ｍＨ２Ｏは、多くの場合ｍＨ２Ｏ結晶格子の形成に関与しない脱離可能な水相をも表すものである為、ｍは整数又は整数でない値を取ることもできる。又この種の材料を加熱するとｍは０の値に達することがありうる。）
アルミナ水和物は、米国特許第４，２４２，２７１号、米国特許第４，２０２，８７０号に記載のアルミニウムアルコキシドの加水分解、アルミン酸ナトリウムの加水分解、又、特公昭５７−４４６０５号公報に記載のアルミン酸ナトリウム等の水溶液に硫酸ナトリウム、塩化アルミニウム等の水溶液を加えて中和を行う方法など、公知の方法で製造することができる。
【００８１】
記録媒体は上記したインク受容層を支持するための支持体を有することが好ましい。支持体は、インク受容層が、上記多孔質の微粒子で形成することが可能であって、且つインクジェットプリンタ等の搬送機構によって搬送可能な剛度を与えるものであれば、特に制限はなく、何れのものでも使用できる。具体的には、例えば、天然セルロース繊維を主体としてパルプ原料から成る紙支持体、ポリエステル（例：ポリエチレンテレフタラート）、セルローストリアセテート、ポリカーボネート、ポリ塩化ビニル、ポリプロピレン、ポリイミド等の材料からなるプラスチック支持体、基紙の少なくとも一方に白色顔料等を添加したポリオレフィン樹脂被樹脂被覆層を有する樹脂被覆紙（例：ＲＣペーパー）が挙げられる。
【００８２】
＜インクセット＞
本発明のインクは、他のインクと組み合わせてインクセットとした場合においても好ましく使用することができる。本発明におけるインクセットは、本発明のインクを、シアンインク、マゼンタインク、イエローインク、ブラックインク等の他のインクと共に用いる状態ことである。尚、インクセットとして組み合わせることのできる他のインクについての限定は特にない。又、本発明におけるインクセットとは、インクタンクが複数一体になっているインクタンク自体は無論のこと、単独のインクタンクを複数組み合わせて使用する場合も含み、更に、前記インクタンク及び記録ヘッドを一体としたものも含まれる。特に本発明においては、インクセットを構成するイエローインク又は淡インクが、本発明の構成を満たすものとする。
【００８３】
＜インクジェット記録方法＞
本発明にかかるインクは、インクをインクジェット方法で吐出する工程を有するインクジェット記録方法に用いることが特に好適である。インクジェット記録方法は、インクに力学的エネルギーを作用させてインクを吐出させる記録方法、及びインクに熱エネルギーを作用させてインクを吐出させる記録方法等がある。特に、本発明においては、熱エネルギーを利用するインクジェット記録方法を好ましく用いることができる。
【００８４】
＜インクカートリッジ＞
本発明にかかるインクを用いて記録を行うのに好適なインクカートリッジは、これらのインクを収容するインク収容部を備えたインクカートリッジが挙げられる。
【００８５】
＜記録ユニット＞
本発明にかかるインクを用いて記録を行うのに好適な記録ユニットは、これらのインクを収容するインク収容部と、記録ヘッドとを備えた記録ユニットが挙げられる。特に、前記記録ヘッドが、記録信号に対応した熱エネルギーをインクに作用させ、前記エネルギーによりインク液滴を発生させる記録ユニットが挙げられる。
【００８６】
＜インクジェット記録装置＞
本発明にかかるインクを用いて記録を行うのに好適な記録装置は、これらのインクが収容されるインク収容部を有する記録ヘッドの室内のインクに、記録信号に対応した熱エネルギーを与え、前記エネルギーによりインク液滴を発生させる装置が挙げられる。
【００８７】
以下に、インクジェット記録装置の機構部の概略構成を説明する。記録装置本体は、各機構の役割から、給紙部、用紙搬送部、キャリッジ部、排紙部、クリーニング部及びこれらを保護し、意匠性を持たす外装部から構成されている。以下、これらの概略を説明していく。
【００８８】
図１は、記録装置の斜視図である。又、図２及び図３は、記録装置本体の内部機構を説明するための図であり、図２は右上部からの斜視図、図３は記録装置本体の側断面図をそれぞれ示したものである。
【００８９】
記録装置において給紙を行う際には、まず給紙トレイＭ２０６０を含む給紙部において記録媒体の所定枚数のみが給紙ローラＭ２０８０と分離ローラＭ２０４１から構成されるニップ部に送られる。送られた記録媒体はニップ部で分離され、最上位の記録媒体のみが搬送される。用紙搬送部に送られた記録媒体は、ピンチローラホルダＭ３０００及びペーパーガイドフラッパーＭ３０３０に案内されて、搬送ローラＭ３０６０とピンチローラＭ３０７０とのローラ対に送られる。搬送ローラＭ３０６０とピンチローラＭ３０７０とからなるローラ対は、ＬＦモータＥ０００２の駆動により回転され、この回転により記録媒体がプラテンＭ３０４０上を搬送される。
【００９０】
キャリッジ部では記録媒体に画像を形成する場合、記録ヘッドＨ１００１（図４）を目的の画像形成位置に配置させ、電気基板Ｅ００１４からの信号に従って、記録媒体に対しインクを吐出する。記録ヘッドＨ１００１についての詳細な構成は後述するが、記録ヘッドＨ１００１により記録を行いながらキャリッジＭ４０００が列方向に走査する記録主走査と、搬送ローラＭ３０６０により記録媒体が行方向に搬送される副走査とを交互に繰り返すことにより、記録媒体上に画像を形成していく構成となっている。
【００９１】
最後に画像を形成された記録媒体は、排紙部で第１の排紙ローラＭ３１１０と拍車Ｍ３１２０とのニップに挟まれ、搬送されて排紙トレイＭ３１６０に排出される。
【００９２】
尚、クリーニング部において、画像記録前後の記録ヘッドＨ１００１をクリーニングする目的のために、キャップＭ５０１０を記録ヘッドＨ１００１のインク吐出口に密着させた状態で、ポンプＭ５０００を作用させると、記録ヘッドＨ１００１から不要なインク等が吸引されるようになっている。又、キャップＭ５０１０を開けた状態で、キャップＭ５０１０に残っているインクを吸引することにより、残インクによる固着及びその後の弊害が起こらないように配慮されている。
【００９３】
（記録ヘッド構成）
ヘッドカートリッジＨ１０００の構成について説明する。ヘッドカートリッジＨ１０００は、記録ヘッドＨ１００１と、インクタンクＨ１９００を搭載する手段、及びインクタンクＨ１９００から記録ヘッドにインクを供給するための手段を有しており、キャリッジＭ４０００に対して着脱可能に搭載される。
【００９４】
図４は、ヘッドカートリッジＨ１０００に対し、インクタンクＨ１９００を装着する様子を示した図である。記録装置は、イエロー、マゼンタ、シアン、ブラック、淡マゼンタ、淡シアン、及びグリーンインクによって画像を形成し、従ってインクタンクＨ１９００も７色分が独立に用意されている。上記において、少なくとも一種のインクに、本発明にかかるインクを用いる。そして、図に示すように、それぞれがヘッドカートリッジＨ１０００に対して着脱自在となっている。尚、インクタンクＨ１９００の着脱は、キャリッジＭ４０００にヘッドカートリッジＨ１０００が搭載された状態で行えるようになっている。
【００９５】
図５は、ヘッドカートリッジＨ１０００の分解斜視図を示したものである。図において、ヘッドカートリッジＨ１０００は、第１の記録素子基板Ｈ１１００及び第２の記録素子基板Ｈ１１０１、第１のプレートＨ１２００、第２のプレートＨ１４００、電気配線基板Ｈ１３００、タンクホルダーＨ１５００、流路形成部材Ｈ１６００、フィルターＨ１７００、シールゴムＨ１８００などから構成されている。
【００９６】
第１の記録素子基板Ｈ１１００及び第２の記録素子基板Ｈ１１０１はＳｉ基板であり、その片面にインクを吐出するための複数の記録素子（ノズル）がフォトリソ技術により形成されている。各記録素子に電力を供給するＡｌ等の電気配線は、成膜技術により形成されており、個々の記録素子に対応した複数のインク流路も又、フォトリソグラフィ技術により形成されている。更に、複数のインク流路にインクを供給するためのインク供給口が裏面に開口するように形成されている。
【００９７】
図６は、第１の記録素子基板Ｈ１１００及び第２の記録素子基板Ｈ１１０１の構成を説明するための正面拡大図である。Ｈ２０００〜Ｈ２６００は、それぞれ異なるインク色に対応する記録素子の列（以下ノズル列ともいう）であり、第１の記録素子基板Ｈ１１００には、イエローインクの供給されるノズル列Ｈ２０００、マゼンタインクの供給されるノズル列Ｈ２１００、及びシアンインクの供給されるノズル列Ｈ２２００の３色分のノズル列が構成されている。第２の記録素子基板Ｈ１１０１には、淡シアンインクの供給されるノズル列Ｈ２３００、ブラックインクの供給されるノズル列Ｈ２４００、オレンジインクの供給されるノズル列Ｈ２５００、及び淡マゼンタインクの供給されるノズル列Ｈ２６００の４色分のノズル列が構成されている。
【００９８】
各ノズル列は、記録媒体の搬送方向に１２００ｄｐｉ（ｄｏｔ／ｉｎｃｈ；参考値）の間隔で並ぶ７６８個のノズルによって構成され、約２ピコリットルのインク滴を吐出させる。各ノズル吐出口における開口面積は、およそ１００平方μｍ２に設定されている。又、第１の記録素子基板Ｈ１１００及び第２の記録素子基板Ｈ１１０１は第１のプレートＨ１２００に接着固定されており、ここには、第１の記録素子基板Ｈ１１００及び第２の記録素子基板Ｈ１１０１にインクを供給するためのインク供給口Ｈ１２０１が形成されている。
【００９９】
更に、第１のプレートＨ１２００には、開口部を有する第２のプレートＨ１４００が接着固定されており、この第２のプレートＨ１４００は、電気配線基板Ｈ１３００と第１の記録素子基板Ｈ１１００及び第２の記録素子基板Ｈ１１０１とが電気的に接続されるように、電気配線基板Ｈ１３００を保持している。
【０１００】
電気配線基板Ｈ１３００は、第１の記録素子基板Ｈ１１００及び第２の記録素子基板Ｈ１１０１に形成されている各ノズルからインクを吐出するための電気信号を印加するものであり、第１の記録素子基板Ｈ１１００及び第２の記録素子基板Ｈ１１０１に対応する電気配線と、この電気配線端部に位置し記録装置本体からの電気信号を受け取るための外部信号入力端子Ｈ１３０１とを有している。外部信号入力端子Ｈ１３０１は、タンクホルダーＨ１５００の背面側に位置決め固定されている。
【０１０１】
一方、インクタンクＨ１９００を保持するタンクホルダーＨ１５００には、流路形成部材Ｈ１６００が例えば超音波溶着により固定され、インクタンクＨ１９００から第１のプレートＨ１２００に通じるインク流路Ｈ１５０１を形成している。
【０１０２】
インクタンクＨ１９００と係合するインク流路Ｈ１５０１のインクタンク側端部には、フィルターＨ１７００が設けられており、外部からの塵埃の侵入を防止し得るようになっている。又、インクタンクＨ１９００との係合部にはシールゴムＨ１８００が装着され、係合部からのインクの蒸発を防止し得るようになっている。
【０１０３】
更に、前述のようにタンクホルダーＨ１５００、流路形成部材Ｈ１６００、フィルターＨ１７００及びシールゴムＨ１８００から構成されるタンクホルダー部と、第１の記録素子基板Ｈ１１００及び第２の記録素子基板Ｈ１１０１、第１のプレートＨ１２００、電気配線基板Ｈ１３００及び第２のプレートＨ１４００から構成される記録ヘッド部Ｈ１００１とを、接着等で結合することにより、ヘッドカートリッジＨ１０００が構成されている。
【０１０４】
尚、ここでは記録ヘッドの一形態として、電気信号に応じて膜沸騰をインクに対して生じさせるための熱エネルギーを生成する電気熱変換体（記録素子）を用いて記録を行うバブルジェット（登録商標）方式の記録ヘッドについて一例を挙げて述べた。
【０１０５】
この代表的な構成や原理については、例えば、米国特許第４，７２３，１２９号明細書、同第４，７４０，７９６号明細書に開示されている基本的な原理を用いて行うものが好ましい。この方式は、所謂オンデマンド型、コンティニュアス型の何れにも適用可能であるが、特に、オンデマンド型の場合には、液体（インク）が保持されているシートや液流路に対応して配置されている電気熱変換体に、記録情報に対応していて核沸騰を超える急速な温度上昇を与える少なくとも一つの駆動信号を印加することによって、電気熱変換体に熱エネルギーを発生せしめ、記録ヘッドの熱作用面に膜沸騰を生じさせて、結果的にこの駆動信号に一対一で対応した液体（インク）内の気泡を形成できるので有効である。この気泡の成長、収縮により吐出用開口を介して液体（インク）を吐出させて、少なくとも一つの滴を形成する。この駆動信号をパルス形状とすると、即時適切に気泡の成長・収縮が行われるので、特に応答性に優れた液体（インク）の吐出が達成でき、より好ましい。
【０１０６】
又、第二の力学的エネルギーを利用したインクジェット記録装置の形態として、複数のノズルを有するノズル形成基板と、ノズルに対向して配置される圧電材料と導電材料からなる圧力発生素子と、この圧力発生素子の周囲を満たすインクを備え、印加電圧により圧力発生素子を変位させ、インクの小液滴をノズルから吐出させるオンデマンドインクジェット記録ヘッドを挙げることができる。
【０１０７】
又、インクジェット記録装置は、上述のようにヘッドとインクタンクとが別体となったものに限らず、それらが分離不能に一体になったものを用いるものでもよい。又、インクタンクはヘッドに対し分離可能又は分離不能に一体化されてキャリッジに搭載されるもののほか、装置の固定部位に設けられて、インク供給部材、例えばチューブを介して記録ヘッドにインクを供給する形態のものでもよい。更に、記録ヘッドに対し好ましい負圧を作用させるための構成をインクタンクに設ける場合には、インクタンクのインク収納部に吸収体を配置した形態、あるいは可撓性のインク収容袋とこれに対しその内容積を拡張する方向の付勢力を作用するばね部とを有した形態などを採用することができる。又、記録装置は、上述のようにシリアル記録方式を採るもののほか、記録媒体の全幅に対応した範囲にわたって記録素子を整列させてなるラインプリンタの形態をとるものであってもよい。
【実施例】
【０１０８】
以下、実施例及び比較例を用いて本発明を更に詳細に説明するが、本発明は、その要旨を超えない限り、下記の実施例によって何ら限定されるものではない。尚、特に指定の無い限り、実施例、比較例のインク成分は「質量部」を意味する。
【０１０９】
＜色材の調製＞
ジアゾ化した４−ニトロ−４’−アミノスチルベン−２，２−ジスルホン酸と３−アミノナフタレン−１−スルホン酸とをカップリングさせ、これをトリアゾール化し、ニトロ基をアミノ基に還元する公知の方法で製造したアミノスチルベン−トリアゾールを水に溶解し、亜硝酸ナトリウム、塩酸を滴下し、ジアゾ化を行った。これを、下記化合物（４）で表される化合物の水溶液に滴下して、カップリングした後、塩化ナトリウムで塩析した。この化合物を亜硝酸ナトリウム水溶液でジアゾ化を行い、この混濁液に、６−アミノナフタレン−２−スルホン酸水溶液を添加し、これをトリアゾール化したものを塩化ナトリウムで塩析することにより、下記例示化合物１で表される色材を得た。
【０１１０】
化合物（４）
【０１１１】
【化１０】
2006070258.tif 000015
【０１１２】
例示化合物１
【０１１３】
【化１１】
2006070258.tif 000016
【０１１４】
＜インクの調製＞
得られたイエロー色材Ｙ１、Ｃ．Ｉ．Ｄｉｒｅｃｔ  Ｙｅｌｌｏｗ１３２、Ｃ．Ｉ．Ｄｉｒｅｃｔ  Ｙｅｌｌｏｗ１４２、及びＣ．Ｉ．Ａｃｉｄ  Ｙｅｌｌｏｗ２３を用いて、表１に示す処方でイエローインク１〜７を調製した。又、シアン色材Ｃ１としてＣ．Ｉ．Ｄｉｒｅｃｔ  Ｂｌｕｅ１９９、及び、マゼンタ色材Ｍ１としてＣ．Ｉ．Ａｃｉｄ  Ｒｅｄ５２を用いて、表２に示す処方で淡シアンインク１〜７、及び表３に示す処方で淡マゼンタインク１〜７を調製した。尚、シアン色材、及び、マゼンタ色材は特にこれらに限定されるものではない。
【０１１５】
【表１】
2006070258.tif 000017
【０１１６】
【表２】
2006070258.tif 000018
【０１１７】
【表３】
2006070258.tif 000019
【０１１８】
＜評価＞
（１）耐湿性
得られたイエローインク１〜７、淡シアンインク１〜７、淡マゼンタインク１〜７を組み合わせて、各インクの重ね合わせの画像を形成した。具体的には、淡シアンインクを５０％ｄｕｔｙ、イエローインクを２０％ｄｕｔｙ、淡マゼンタインクを８０％ｄｕｔｙで記録媒体に付与して、画像を形成した。尚、記録物の作成には、インクジェットプリンタ（商品名：ＰＩＸＵＳ９５０ｉ；キヤノン製）、及びインクジェット用光沢記録媒体（商品名：ＳＰ１０１；キヤノン製）を用いた。得られた記録物を温度２４℃、湿度６０％の環境で４８時間放置し、その後、温度３０℃、湿度８０％の環境で１６８時間放置した。放置した後の記録物について、マイグレーションによる色調変化を目視により確認した。耐湿性の基準は以下の通りである。評価結果を表４に示す。
Ａ：マイグレーションによる滲みがない
Ｂ：マイグレーションによる問題とならない程度の滲みがある
Ｃ：マイグレーションによるやや問題となる滲みがある
Ｄ：マイグレーションによる問題となる滲みがある
Ｅ：マイグレーションによる非常に問題となる滲みがある
（２）色調（色相角）
得られたイエローインク１〜７を用いて、ベタ部の画像を形成した。尚、記録物の作成には、上記と同様のインクジェットプリンタ、及びインクジェット用光沢記録媒体（商品名：ＰＲ１０１；キヤノン製）を用いた。得られた記録物を２４時間乾燥させ、その後、分光光度計（商品名：Ｓｐｅｃｔｒｏｌｉｎｏ；Ｇｒｅｔａｇ  Ｍａｃｂｅｔｈ製）を用いて色相角（ｈ）の測定を行った。色調の基準は以下の通りである。評価結果を表４に示す。
Ａ：８５＜ｈ＜９０
Ｂ：８３≦ｈ≦８５、あるいは、９０≦ｈ≦９２
Ｃ：ｈ＜８３、あるいは、ｈ＞９２
（３）粒状度（階調表現性）
得られたイエローインク１〜７、淡シアンインク１〜７、淡マゼンタインク１〜７を用い、更に、キヤノン製ＢＣＩ−６のシアン、マゼンタ、及びブラックのインクを用いて、０〜１００％ｄｕｔｙの各階調でのプロセスブラックの画像を形成した。尚、記録物の作成には、インクジェットプリンタ（商品名：ＰＩＸＵＳ９５０ｉ；キヤノン製）、及びインクジェット用光沢記録媒体（商品名：ＰＲ１０１；キヤノン製）を用いて、得られた記録物を２４時間乾燥させ、その後、記録物の粒状度について、各ｄｕｔｙの記録物の粒状感を目視により確認した。粒状度の基準は以下の通りである。評価結果を表４に示す。
Ａ：すべての階調において粒状感が目立たない
Ｂ：ある階調で粒状感がやや視認出来るが、問題ないレベル
Ｃ：ある階調で粒状感が視認出来、問題となるレベル
【０１１９】
【表４】
2006070258.tif 000020
【０１２０】
上記実施例１〜６及び比較例１〜７からわかるように、イエローインクを、本発明の構成の淡インクと組み合わせて用いた場合、イエローインクで形成した画像の耐湿性が向上する。又、上記実施例１〜６及び比較例７からわかるように、本発明の構成のイエローインクを、淡インクと組み合わせて用いた場合、画像の耐湿性が向上する。又、淡インクの色材濃度が、インク全質量に対して０．１質量％以上２．０質量％以下の場合、画像の粒状度は問題ないレベルである。しかしながら、インクの色材濃度が、２．１質量％の濃度の淡インクにおいては、粒状度は問題ないレベルであるが、相対的には粒状度に差がみられる。又、インクの色材濃度が０．１質量％以上２．０質量％以下の淡インクを用いて形成した画像は粒状度（階調表現性）に優れ、インクの色材濃度が２．１質量％の淡インクを用いて形成した画像と比較して、より良い階調表現性を有する。更に、淡インクと共に用いられるイエローインクの色材として、一般式（Ｉ）で表される化合物及びＣ．Ｉ．Ｄｉｒｅｃｔ  Ｙｅｌｌｏｗ１３２を組み合わせて用いた場合、インクジェット用インクとして求められる性能、画像の耐湿性、色調（色相角）、及び粒状度（階調表現性）を共に達成することが可能となる。
【図面の簡単な説明】
【０１２１】
【図１】本発明における蒸発率、吸湿率のグラフである。
【図２】記録装置の斜視図である。
【図３】記録装置の機構部の斜視図である。
【図４】記録装置の断面図である。
【図５】ヘッドカートリッジにインクタンクを装着する状態を示す斜視図である。
【図６】ヘッドカートリッジの分解斜視図である。
【図７】ヘッドカートリッジにおける記録素子基板を示す正面図である。
【符号の説明】
【０１２２】
Ｍ２０４１  分離ローラ
Ｍ２０６０  給紙トレイ
Ｍ２０８０  給紙ローラ
Ｍ３０００  ピンチローラホルダ
Ｍ３０３０  ペーパーガイドフラッパー
Ｍ３０４０  プラテン
Ｍ３０６０  搬送ローラ
Ｍ３０７０  ピンチローラ
Ｍ３１１０  排紙ローラ
Ｍ３１２０  拍車
Ｍ３１６０  排紙トレイ
Ｍ４０００  キャリッジ
Ｍ５０００  ポンプ
Ｍ５０１０  キャップ
Ｅ０００２  ＬＦモータ
Ｅ００１４  電気基板
Ｈ１０００  ヘッドカートリッジ
Ｈ１００１  記録ヘッド
Ｈ１１００  第１の記録素子基板
Ｈ１１０１  第２の記録素子基板
Ｈ１２００  第１のプレート
Ｈ１２０１  インク供給口
Ｈ１３００  電気配線基板
Ｈ１３０１  外部信号入力端子
Ｈ１４００  第２のプレート
Ｈ１５００  タンクホルダー
Ｈ１５０１  インク流路
Ｈ１６００  流路形成部材
Ｈ１７００  フィルター
Ｈ１８００  シールゴム
Ｈ１９００  インクタンク
Ｈ２０００  イエローノズル列
Ｈ２１００  マゼンタノズル列
Ｈ２２００  シアンノズル列
Ｈ２３００  淡シアンノズル列
Ｈ２４００  ブラックノズル列
Ｈ２５００  オレンジノズル列
Ｈ２６００  淡マゼンタノズル列
【図１】
2006070258.tif 000029
【図２】
2006070258.tif 000030
【図３】
2006070258.tif 000031
【図４】
2006070258.tif 000032
【図５】
2006070258.tif 000033
【図６】
2006070258.tif 000034
【図７】
2006070258.tif 000035